(57)【特許請求の範囲】
【請求項１】
送風機を備えた換気装置に、加熱調理器の運転または停止を知らせる信号を受信する受信部と、この受信部が受信した信号に基づいて前記送風機の運転を制御する制御部とを設け、前記加熱調理器の運転操作部を操作することにより送られる前記加熱調理器の運転または停止の信号を電波によって前記受信部に送信する送信部を、前記加熱調理器に取り付けられるフィラート内部に設ける構成とした換気制御システムであって、前記加熱調理器の運転または停止の信号を出力する出力端子部を前記加熱調理器に設けるとともに、前記フィラート内部の前記送信部に入力される入力端子部を前記フィラートに設け、前記出力端子部と前記入力端子部を結合させることで前記加熱調理器に前記フィラートが取付けられることを特徴とする換気制御システム。
【請求項２】
フィラート内部に、送信部に電力を供給する電源供給部を設けた請求項１記載の換気制御システム。
【請求項３】
使用者が電源供給部の交換時期を認識できるように電源供給部交換報知手段を設ける請求項２記載の換気制御システム。
【請求項４】
フィラートを加熱調理器の上端部よりも外方に突出させる請求項１、２または３記載の換気制御システム。
【発明の詳細な説明】
【０００１】
【発明の属する技術分野】
本発明は、電波信号を用いた遠隔操作によって、加熱調理器と換気装置を連動運転させ、室内の汚れた空気を室外へ排気する換気制御システムに関する。
【０００２】
【従来の技術】
近年、遠隔操作により加熱調理器の運転と連動する換気装置の普及に伴い、他機種に共用でき、メンテナンス性の良い電波を利用した換気制御システムへの要望が高まってきている。
【０００３】
従来、この種の換気制御システムの一例として図７および図８に示すものが知られていた。以下、その構成について図７および図８を参照しながら説明する。
【０００４】
図に示すように、台所１１２に設置される加熱調理器１０１に加熱調理器１０１の運転を使用者が操作する運転操作部１０２を設け、加熱調理器１０１の内部に、運転操作部１０２の入または切の判定をする判定部１０４と、判定部１０４からの信号を受信部１０７に送信し、運転操作部１０２の後方に配置される送信部１０５と、判定部１０４と送信部１０５を動作させる電力を供給する電池部１０６とを備え、加熱調理器１０１の上方に設けられる換気装置１１０に、送信部１０５からの電波信号１０５Ａを受信する受信部１０７と、受信部１０７が受信した信号に基づいて送風機１０９の運転を制御する制御部１０８と、加熱調理器１０１により調理するときに発生する油煙や湿気をその前方に設けたフィルター１１１を通し、その吐出口（図示せず）からダクト１１４を介して室外１１３に排気する送風機１０９とを設け換気制御システムを構成していた。
【０００５】
【発明が解決しようとする課題】
このような従来の換気制御システムでは、加熱調理器１０１内部の、運転操作部１０２と五徳１０１ａの下方部との間の熱の影響を受けにくい部分に送信部１０５が収納されているので、送信部１０５の着脱が困難で、メンテナンス性が良くないという課題があった。また、送信部１０５は加熱調理器１０１に一体化されているので、他機種に共用できず、汎用性がないという課題があった。
【０００６】
本発明は上記課題を解決するもので、送信部のメンテナンス性が良く、送信部の共用性が高く、汎用性がある換気制御システムを提供することを目的とする。
【０００７】
【課題を解決するための手段】
本発明の換気制御システムにおいては、送風機を備えた換気装置に、加熱調理器の運転または停止を知らせる信号を受信する受信部と、この受信部が受信した信号に基づいて前記送風機の運転を制御する制御部とを設け、前記加熱調理器の運転操作部を操作することにより送られる前記加熱調理器の運転または停止の信号を電波によって前記受信部に送信する送信部を、前記加熱調理器に取り付けられるフィラート内部に設ける構成としたものである。
【０００８】
このように本発明によれば、送信部の着脱を容易にして、メンテナンス性を向上させるとともに、送信部をフィラートと一体化して、このユニットを他機種の加熱調理器にも共用でき、汎用性のある換気制御システムを提供することができる。
【０００９】
【発明の実施の形態】
本発明の請求項１記載の発明は、送風機を備えた換気装置に、加熱調理器の運転または停止を知らせる信号を受信する受信部と、この受信部が受信した信号に基づいて前記送風機の運転を制御する制御部とを設け、前記加熱調理器の運転操作部を操作することにより送られる前記加熱調理器の運転または停止の信号を電波によって前記受信部に送信する送信部を、前記加熱調理器に取り付けられるフィラート内部に設ける構成とした換気制御システムであって、前記加熱調理器の運転または停止の信号を出力する出力端子部を前記加熱調理器に設けるとともに、前記フィラート内部の前記送信部に入力される入力端子部を前記フィラートに設け、前記出力端子部と前記入力端子部を結合させることで前記加熱調理器に前記フィラートが取付けられる、というものであり、加熱調理器に取り付けられるフィラート内部に送信部を設けているので、送信部の着脱を容易にして、メンテナンス性を向上させるとともに、送信部をフィラートと一体化して、このユニットを他機種の加熱調理器にも共用でき、汎用性があり、また、受信部に確実に電波信号を送ることができ送信性が良く、さらに、出力端子部と入力端子部を結合させることで加熱調理器にフィラートが取付けられるので、フィラートを加熱調理器に取り付ける際には、簡単に取り付けでき、加熱調理器およびフィラートそれぞれに係合するための手段を設けなくてよいことになるという作用を有する。
【００１０】
以下、本発明の実施の形態について、図１〜図６を参照しながら説明する。
【００１１】
（実施の形態１）
図１および図２に示すように、台所１に設けた加熱調理器２に加熱調理器２の運転を使用者が操作できる運転操作部３を設け、加熱調理器２の内部に、運転操作部３が入または切され、加熱調理器２が運転または停止したことを判定する判定部４と、判定部４からの判定結果を受けて換気装置であるところのレンジフード７に電波信号８を送信する送信部５と、判定部４と送信部５を動作させる電力を供給する電池６を収納するための電池収納部（図示せず）とを設け、加熱調理器２の上部には煮炊きなどに用いる鍋を置く金属製の天板２ａが設けられる。加熱調理器２の上方にはレンジフード７を設け、レンジフード７に、送信部５から送信される電波信号８を受信する受信部９と、受信部９が受信した信号に基づいて送風機１１の運転を制御する制御部１０と、加熱調理器２により調理するときに発生する油煙や湿気をその前方に設けるフィルター１２を通し、その吐出口（図示せず）からダクト１３を介して室外１４に排気する送風機１１とを設ける。加熱調理器２の前面よりの側方部には、キッチン周りの隙間調整用の詰め物として用いられるフィラート１５が設けられ、フィラート１５内部に、先端にコネクター１７を設けたリード線１６により入力される送信部５を設け、判定部４から延びるリード線１９の先端にコネクター１８を設ける。また、加熱調理器２の前方よりの側方部に加熱調理器側係合部２０を設け、フィラート１５の側部に加熱調理器側係合部２０と係合されるフィラート側係合部（図示せず）を設ける。
【００１２】
上記構成において、加熱調理器２で煮炊きなどの調理をするために使用者が運転操作部３を操作すると、運転操作部３が入または切の状態になったことを判定部４が判定し、その判定結果を送信部５に伝達する。送信部５は判定結果に基づいて電波信号８を受信部９に送信する。このとき、送信部５が、例えば、運転操作部３の後方で天板２ａの下方に相当する場所にあると、送信部の上方は金属製の天板に覆われ、左右は加熱調理器のフレームに囲まれ、前方は運転操作部が存在することになり、送信部が発信した電波信号は、天板などの金属板に大部分が反射されてしまい、加熱調理器を透過して受信部に到達する信号は少なく、受信性能が低下して換気装置が適切に動作しないことになる。この実施の形態１では、送信部５を、加熱調理器２の前方よりの側方部の隙間を調整するために詰め物として取り付けるフィラート１５の内部に設け、フィラート１５は、一般に樹脂成形品で形成されるので、その内部に設けた送信部５から送信される電波信号８はフィラート１５の外郭で反射されることなく透過して確実に受信部９に到達することになる。また、フィラート１５は、キッチン周りの隙間調整用として既存の構成部品であり、新たに別個に設けたものではない。さらに、フィラート１５を加熱調理器２の前方よりの側方部に取り付けるには、コネクター１７とコネクター１８を接続し、加熱調理器２の前方よりの側方部に設けた加熱調理器側係合部２０にフィラート側係合部（図示せず）を係合させて固定することになる。そして、送信部５を内部に有するフィラート１５は、コネクター１７、１８によって加熱調理器２からの信号を出力するリード線１９と接続されるので、送信部が故障したときの部品交換や、電波信号を用いて加熱調理器２と換気装置を連動運転したいというユーザーの要望に対して、加熱調理器２に判定部４から延びるリード線１９の先端にコネクター１８を備えておけば、容易に対応できることになる。さらに、送信部をフィラートと一体化したので、このユニットを他機種の加熱調理器にも共用できることになる。
【００１３】
そして、送信部５から電波信号８を受信した受信部９は、その信号を制御部１０に送り、制御部１０は送風機１１に運転の開始または停止を制御する。送風機１１が運転し始めると、加熱調理器２で煮炊きなどの調理をして発生する油煙や湿気はレンジフード７内部のフィルター１２を通り、送風機１１の吐出口（図示せず）からダクト１３を介して室外１４に排気されることになる。
【００１４】
なお、フィラート１５は、樹脂成形品に限定されるものでなく、受信部９に向けて発信される電波信号８が確実に受信部９に到達できるものであれば、本発明の作用、効果に何ら差異はなく、例えば、電波信号が送信される方向のフィラート１５の外郭部分が樹脂でできていれば、電波信号は樹脂部分を透過するので、その他の外郭部分が金属などの樹脂以外のもので構成されていてもよい。
【００１５】
このように本発明の実施の形態１の換気制御システムによれば、加熱調理器に取り付けられるフィラート内部に送信部を設けているので、送信部の着脱を容易にして、メンテナンス性を向上させるとともに、送信部をフィラートと一体化して、このユニットを他機種の加熱調理器にも共用でき、汎用性があり、さらに、受信部に確実に電波信号を送ることができ送信性が良い換気制御システムを提供できる。
【００１６】
（実施の形態２）
図３に示すように、加熱調理器２の点火時や判定部４の動作時などに必要な電力を供給する電池６と、電池６とは別に、加熱調理器２に取り付けられるフィラート１５Ａの内部に、電源供給部であるところの電池１６を設け、同じフィラート１５Ａ内部に設けられる送信部５Ａに電力を供給させるとともに、電池１６の電力供給量が基準値未満となり、電池１６を交換する必要がある場合は、フィラート１５Ａに設けた電池交換表示部１６ａを点灯させる電源供給部交換報知手段を設ける構成とする。
【００１７】
上記構成において、電池６と、電池１６とが個々に存在することになり、それぞれの電池寿命が長くなり、電池交換の頻度が減少してメンテナンスの煩わしさが軽減されることになる。また、電池１６の交換時期になり、電池交換をしなければならないときは、フィラート１５Ａは加熱調理器２に係合により取付けされているため係脱自在であり、メンテナンス作業が容易となる。そして、電池１６の交換時期は、電池１６から供給される電力量が基準値未満となったときに、送信部５Ａが動作せず、使用者が故障が発生したと思わないようにフィラート１５Ａの前面のような見やすいところに設けた電池交換表示部１６ａを点灯させて使用者に知らされる。
【００１８】
なお、電源供給部交換報知手段として、ここでは点灯による表示をして使用者に交換時期を知らせる方法をとったが、使用者が明確に分かるものであればその作用、効果に差異はなく、ブザーによる報知手段でもよい。
【００１９】
さらに、ここでは電源供給部交換手段をフィラートに設けたが、使用者が確実に認識できれば、加熱調理器に設けてもその作用、効果に差異はない。
【００２０】
このような本発明の実施形態２の換気制御システムによれば、フィラート１５Ａの内部に、送信部５Ａに電力を供給する電源供給部を別個に設けたので、加熱調理器に電力を供給する電池と別々にすることにより、製品に必要な電池寿命を確保でき、電池交換の頻度を少なくでき、また、フィラート１５Ａを容易に取り外せるため、電源供給部の交換が必要なときでもメンテナンス作業が容易に行える。さらに、使用者が、換気制御システムが正常に作動しないと感じたときに、故障か、電池交換時期かが電源供給部交換報知手段により明確に分かることになる。また、加熱調理器側の電池交換時期なのか、送信部側の電池交換なのかが良く分かり、交換すべき電池を間違えることがない。
【００２１】
（実施の形態３）
図４に示すように、加熱調理器２Ａの前方よりの側方部に、その内部に送信部５Ｂを備えたフィラート１５Ｂを設けるとともに、フィラート１５Ｂは加熱調理器の上端部１９より外方に突出した構成とする。
【００２２】
上記構成において、加熱調理器２Ａの運転操作部（図示せず）が入または切の操作をされると、判定部（図示せず）がこれを判定して、この判定結果を送信部５Ｂから上方の受信部（図示せず）に送信することになり、送信部の位置が加熱調理器の上端部１９より内側よりにある場合、加熱調理器の上端部１９であるところの天板や加熱調理器の上端部１９で調理される金属製の鍋１８が、送信部の上方にあるため、電波信号の進む方向を遮ることになる。そして、本実施の形態では、フィラート１５Ｂを加熱調理器の上端部１９や金属製の鍋１８より外方に突出させる構成とするので、その内部にある送信部５Ｂが受信部に飛ばした電波が天板や鍋などの金属によって反射することがなく、電波が確実に上方の受信部に到達することになる。
【００２３】
このように本発明の実施の形態３の換気制御システムによれば、天板などの金属で構成される加熱調理器の上端部１９や加熱調理器の上端部１９にのせた金属製の鍋１８等の影響で電波信号が反射されることなく、送信部５Ｂから確実に受信部に送ることができる。
【００２４】
（実施の形態４）
図５に示すように、加熱調理器２Ｂの前方よりの側方部に、加熱調理器２Ｂの運転または停止を示す信号がリード線２０ａを介して伝達され、これを出力する出力端子部２０を固定して設けるとともに、フィラート１５Ｃ内部の送信部（図示せず）に入力される入力端子部２１をフィラート１５Ｃの側部に突出させ、固定して設ける構成とする。
【００２５】
上記構成において、出力端子部２０に入力端子部２１を接続させることで、加熱調理器２Ｂの運転または停止を伝達する信号が出力端子部２０から出力され、入力端子部２１に入力されて送信部へ伝達されるように構成できるとともに、フィラート１５Ｃが加熱調理器２Ｂに取り付けられることにもなり、フィラート１５Ｃを加熱調理器２Ｂに装着するための係合部をそれぞれに設ける必要がなくなる。
【００２６】
なお、出力端子部２０と入力端子部２１は、確実に接続でき、これらを接続すれば加熱調理器２Ｂにフィラート１５Ｃが固定されるような結合力を有したものであればよく、コネクター接続、速結端子と端子台の接続などがある
このように本発明の実施の形態４の換気制御システムによれば、フィラート１５Ｃを加熱調理器２Ｂに取り付ける際には、簡単に取り付けでき、加熱調理器２Ｂおよびフィラート１５Ｃのそれぞれに係合するための手段を設けなくてよいことになる。
【００２７】
（実施の形態５）
図６に示すように、加熱調理器２Ｃの前面よりに収納され、加熱調理器２Ｃに電力を供給する電池６を設けた電池収納部２２に、送信部５Ｃを設ける構成とする。
【００２８】
上記構成において、加熱調理器２Ｃの既存の構成部品である電池収納部２２は着脱容易であり、送信部５Ｃが故障したときには、電池収納部２２を取り出し、送信部を交換して電池収納部２２を元に収めるだけでメンテナンス作業が完了する。さらに、電池６と送信部５Ｃを電池収納部２２としてユニット化したことで、電波信号によって加熱調理器と換気装置を連動運転させる加熱調理器において、機種が異なっても送信部を共用することができることとなる。
【００２９】
このような本発明の実施の形態６の換気制御システムによれば、加熱調理器２Ｃに既存の構成部品として設けられている電池収納部２２に送信部５Ｃを設けているため、電池収納部２２を交換することで、送信部５Ｃの部品交換が容易となり、さらに、他機種にも共用でき、汎用性が向上する。
【００３０】
【発明の効果】
以上の実施の形態から明らかなように本発明によれば、送風機を備えた換気装置に、加熱調理器の運転または停止を知らせる信号を受信する受信部と、この受信部が受信した信号に基づいて前記送風機の運転を制御する制御部とを設け、前記加熱調理器の運転操作部を操作することにより送られる前記加熱調理器の運転または停止の信号を電波によって前記受信部に送信する送信部を、前記加熱調理器に取り付けられるフィラート内部に設ける構成としたので、送信部の着脱を容易にして、メンテナンス性を向上させるとともに、送信部をフィラートと一体化して、このユニットを他機種の加熱調理器にも共用でき、汎用性があり、さらに、受信部に確実に電波信号を送ることができる送信性の高い換気制御システムを提供することができる。
【００３１】
また、フィラート内部に、送信部に電力を供給する電源供給部を設けたので、加熱調理器に電力を供給する電池と別々にすることにより、製品に必要な電池寿命を確保でき、電池交換の頻度を少なくでき、また、フィラートを容易に取り外せるため、電源供給部の交換が必要なときでもメンテナンス作業が容易に行える。
【００３２】
また、電源供給部交換報知手段を設け、使用者に電源供給部の交換時期を知らせるので、使用者が、換気制御システムが正常に作動しないと感じたときに、故障か、電池交換時期かが電源供給部交換報知手段により明確に分かることになり、また、加熱調理器側の電池交換時期なのか、送信部側の電池交換なのかが良く分かり、交換すべき電池を間違えることがない。
【００３３】
また、フィラートを加熱調理器の上端部よりも外方に突出させることにより、金属で構成される加熱調理器の上端部で電波信号が反射されることなく、送信部から電波信号を確実に受信部に送ることができる。
【００３４】
また、加熱調理器の運転または停止の信号を出力する出力端子部を前記加熱調理器に設けるとともに、フィラート内部の送信部に入力される入力端子部を前記フィラートに設け、前記出力端子部と前記入力端子部を結合させることで前記加熱調理器に前記フィラートが取付けられる構成としたので、フィラートを加熱調理器に取り付ける際には、簡単に取り付けでき、加熱調理器およびフィラートそれぞれに係合するための手段を設けなくてよいことになる。
【００３５】
また、送風機を備えた換気装置に、加熱調理器の運転または停止を知らせる信号を受信する受信部と、この受信部が受信した信号に基づいて前記送風機の運転を制御する制御部とを設け、前記加熱調理器の運転操作部を操作することにより送られる前記加熱調理器の運転または停止の信号を電波によって前記受信部に送信する送信部を、前記加熱調理器に電力を供給する電池を設けた電池収納部に設ける構成としたので、電池収納部を交換することで、送信部の部品交換が容易となり、さらに、他機種にも共用でき、汎用性が向上する。
【図面の簡単な説明】
【図１】本発明の実施の形態１の換気制御システムの構成を示す断面図
【図２】同換気制御システムのフィラートの取付けを示す斜視図
【図３】本発明の実施の形態２の換気制御システムの構成を示す上面から見た断面図
【図４】本発明の実施の形態３の換気制御システムの断面図
【図５】本発明の実施の形態４の換気制御システムのフィラートの取付けを示す拡大斜視図
【図６】本発明の実施の形態５の換気制御システムの電池収納部を示す拡大斜視図
【図７】従来の換気制御システムの構成を示す断面図
【図８】同換気制御システムの構成図
【符号の説明】
２、２Ａ、２Ｂ                  加熱調理器
３                              運転操作部
５、５Ａ、５Ｂ、５Ｃ            無線送信部
６                              電池
９                              受信部
１０                            制御部
１１                            送風機
１５、１５Ａ、１５Ｂ、１５Ｃ    フィラート
１９                            加熱調理器の上端部
２０                            出力端子部
２１                            入力端子部
２２                            電池収納部
【図１】
0003775943.tif 000002
【図２】
0003775943.tif 000003
【図３】
0003775943.tif 000004
【図４】
0003775943.tif 000005
【図５】
0003775943.tif 000006
【図６】
0003775943.tif 000007
【図７】
0003775943.tif 000008
【図８】
0003775943.tif 000009